(57)【特許請求の範囲】
【請求項１】
通信システムにおけるターゲットアクセスシステムのターゲット基地局がハンドオーバを実行するための方法であって、
ソースアクセスシステムのソース基地局から前記ソース基地局のソースセルの情報を受信するステップと、
前記ソース基地局が前記ターゲット基地局のターゲットセルに対して不適切なＲＡＴ間のハンドオーバをトリガーリングすることを検出するステップと、
前記ソースセルの情報を使用して前記ソースアクセスシステムにハンドオーバ報告メッセージを送信するステップと、を含み、
前記ソースセルの情報は、透過（ｔｒａｎｓｐａｒｅｎｔ）コンテナに含まれて受信される
ことを特徴とする方法。
【請求項２】
前記ソースセルの情報は、ハンドオーバ準備を通して受信される
ことを特徴とする請求項１に記載の方法。
【請求項３】
前記ソースセルの情報は、前記ソースセルのセル識別子と、前記ソースセルが位置した基地局のグローバル識別子を有する
ことを特徴とする請求項１に記載の方法。
【請求項４】
前記ソースセルの情報は、前記ソースセルが属するＴＡＩ（ｔｒａｃｋｉｎｇ  ａｒｅａ  ｉｄｅｎｔｉｔｙ）に対する情報をさらに含む
ことを特徴とする請求項１に記載の方法。
【請求項５】
前記ソースセルの情報は、
前記ソースセルが属するＬＡＩ（ｌｏｃａｔｉｏｎ  ａｒｅａ  ｉｄｅｎｔｉｔｙ）、前記ソースセルが属するＲＡＣ（ｒｏｕｔｉｎｇ  ａｒｅａ  ｃｏｄｅ）、前記ソースセルが属するＲＮＣ（ｒａｄｉｏ  ｎｅｔｗｏｒｋ  ｃｏｎｔｒｏｌｌｅｒ）の識別子、前記ソースセルが属するＲＮＣの拡張された識別子の中の少なくとも一つをさらに含む
ことを特徴とする請求項１に記載の方法。
【請求項６】
通信システムにおけるハンドオーバを実行するためのターゲットアクセスシステムのターゲット基地局であって、
ソースアクセスシステムのソース基地局から前記ソース基地局のソースセルの情報を受信する送受信器と、
前記ソース基地局が前記ターゲット基地局のターゲットセルに対して不適切なＲＡＴ間のハンドオーバをトリガーリングすることを検出し、前記ソースセルの情報を使用して前記ソースアクセスシステムにハンドオーバ報告メッセージを送信するように送受信器を制御する制御器と、を含み、
前記ソースセルの情報は、透過（ｔｒａｎｓｐａｒｅｎｔ）コンテナに含まれて受信される
ことを特徴とするターゲット基地局。
【請求項７】
前記ソースセルの情報は、ハンドオーバ準備を通して受信される
ことを特徴とする請求項６に記載のターゲット基地局。
【請求項８】
前記ソースセルの情報は、前記ソースセルのセル識別子と、前記ソースセルが位置した基地局のグローバル識別子を含む
ことを特徴とする請求項６に記載のターゲット基地局。
【請求項９】
前記ソースセルの情報は、前記ソースセルが属するＴＡＩ（ｔｒａｃｋｉｎｇ  ａｒｅａ  ｉｄｅｎｔｉｔｙ）  に対する情報をさらに含む
ことを特徴とする請求項６に記載のターゲット基地局。
【請求項１０】
前記ソースセルの情報は、
前記ソースセルが属するＬＡＩ（ｌｏｃａｔｉｏｎ  ａｒｅａ  ｉｄｅｎｔｉｔｙ）、前記ソースセルが属するＲＡＣ（ｒｏｕｔｉｎｇ  ａｒｅａ  ｃｏｄｅ）、前記ソースセルが属するＲＮＣ（ｒａｄｉｏ  ｎｅｔｗｏｒｋ  ｃｏｎｔｒｏｌｌｅｒ）の識別子、前記ソースセルが属するＲＮＣの拡張された識別子の中の少なくとも一つをさらに含む
ことを特徴とする請求項６に記載のターゲット基地局。
【発明の詳細な説明】
【技術分野】
【０００１】
本発明は、モバイル通信システム分野に関し、特に、ソースアクセスシステムに対するフェイリュアイベントの表示をサポートするための方法に関する。
【背景技術】
【０００２】
通信技術の発展とともに、モバイル通信システムは、システムアーキテクチャエボリューション（Ｓｙｓｔｅｍ  Ａｒｃｈｉｔｅｃｔｕｒｅ  Ｅｖｏｌｕｔｉｏｎ：ＳＡＥ）システムに発展している。図１は、既存のＳＡＥシステムの構造を示す概略図である。図１に示すように、システムは、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０１を含み、少なくともモビリティ管理エンティティ（Ｍｏｂｉｌｉｔｙ  Ｍａｎａｇｅｍｅｎｔ  Ｅｎｔｉｔｙ：ＭＭＥ）１０５及びユーザプレーンエンティティのコアネットワーク（Ｓ−ＧＷ）１０６を含む。Ｅ−ＵＴＲＡＮ１０１は、ユーザ機器（ＵＥ）をコアネットワークに接続するのに使用される。また、Ｅ−ＵＴＲＡＮ１０１は、１つ以上の基地局（ｅＮＢ）１０２及びホーム基地局（ＨｅＮＢ）１０３を含み、実現のために１つのモジュール内に統合されるか又は個別的に具現されるように分離されるホーム基地局ゲートウェイ（ＨｅＮＢ  ＧＷ）１０４、ＭＭＥ１０５、及びＳ−ＧＷ１０６をオプションとして含む。ここで、ｅＮＢ１０２間の相互接続は、Ｘ２インターフェースを通している。ｅＮＢ１０２は、Ｓ１インターフェースを通してＭＭＥ１０５及びＳ−ＧＷ１０６のそれぞれに接続される。これとは異なり、ｅＮＢ１０２は、Ｓ１インターフェースを通してオプションであるＨｅＮＢ  ＧＷ１０４に接続され、ＨｅＮＢ  ＧＷ１０４は、Ｓ１インターフェースを通してＭＭＥ１０５及びＳ−ＧＷ１０６のそれぞれに接続される。
【０００３】
ＳＡＥシステムを確立する初期状態又はＳＡＥシステムを動作する過程の間に、ＳＡＥシステムの良好な適用範囲及び容量、移動性のロバストネス、移動の時の負荷バランシング及びユーザ装置へのアクセス速度などを保証するためにＳＡＥシステムのパラメータの構成及び最適化にあたって、特に、無線パラメータを構成するにあたって、多くの人的資源及び物的資源を必要とする。ＳＡＥシステム動作の間の構成のための人的資源及び物的資源を節減するために、ＳＡＥシステムを自己最適化する方法が現在提案されている。自己最適化プロセスの間に、ｅＮＢ構成又はＨｅＮＢ構成は、実質的にＳＡＥシステムの現在の状態に従って最適化する。ＳＡＥシステムを自己最適化するための方法を通知するためにｅＮＢ及びＨｅＮＢをｅＮＢと称する。
【０００４】
図２は、ＳＡＥシステムを自己最適化するための基本原理を示す概略図である。図２に示すように、ｅＮＢが電力をＳＡＥに投入するか又はアクセスした後に自己最適化の構成を実行する。このプロセスは、ｅＮＢ基本構成及び初期無線パラメータの構成を含む。ここで、ｅＮＢ基本構成は、ｅＮＢのインターネットプロトコル（Ｉｎｔｅｒｎｅｔ  Ｐｒｏｔｏｃｏｌ：ＩＰ）プロトコルアドレスの構成、  動作管理及び保守（Ｏｐｅｒａｔｉｏｎ  Ａｄｍｉｎｉｓｔｒａｔｉｏｎ  ａｎｄ  Ｍａｉｎｔｅｎａｎｃｅ：ＯＡ  ＆  Ｍ）、ｅＮＢとコアネットワークとの間の認証を含む。ｅＮＢがＨｅＮＢである場合に、ＨｅＮＢが属しているＨｅＮＢ  ＧＷを検出する必要がある。自己構成を実行するためにｅＮＢのソフトウェア及び動作パラメータがダウンロードされる。初期無線パラメータの構成は、経験又はシミュレーションに従って実現される。ＳＡＥシステム内の各ｅＮＢの性能は、ｅＮＢが位置した地域の環境に影響を受ける。したがって、ｅＮＢは、特に、ｅＮＢが位置した地域の環境に対する初期無線の構成に従って隣接セルのリストに対する初期構成及び負荷バランシングの初期構成を実行しなければならない。自己構成プロセスが完了した後に、ｅＮＢに対して構成された多くのパラメータは最適化されていない。ＳＡＥシステムの性能をよりよくするためにｅＮＢの構成が最適化されるか又は調整される必要があるので、これをモバイル通信システムの自己最適化とも呼ぶ。ｅＮＢの構成が最適化されるか又は調整されるべきであるとき、ｅＮＢは、それを実行するために後でＯＡ  ＆  Ｍを通して制御される。ＯＡ  ＆  ＭとｅＮＢとの間には、標準インターフェースが存在する。ＯＡ  ＆  Ｍは、最適化されるパラメータをインターフェースを通してｅＮＢ（ｅＮＢ又はＨｅＮＢであり得る）に送信する。その後に、ｅＮＢは、最適化されるパラメータに従ってｅＮＢ自体に対して構成されたパラメータを最適化する。そのプロセスは、ｅＮＢ自体によって実行される。すなわち、ｅＮＢは、最適化される性能を得るための検出を実行し、ｅＮＢ自体の対応するパラメータに対する最適化及び調整を実行する。ｅＮＢ構成の最適化又は調整は、隣接セルのリストに対する自己最適化、適用範囲、及び容量に対する自己最適化、移動性剛健性に対する自己最適化、負荷バランシングに対する最適
化、及びランダムアクセスチャンネル（ＲＡＣＨ）のパラメータに対する最適化などを含む。
【０００５】
現在では、リリース１０（Ｒｅｌｅａｓｅ  １０）でのモバイルロバストネスに対する自己最適化の基本原理は、次の通りである。ＵＥに対してＲＬＦ又はハンドオーバフェイリュアが発生し、ＵＥが接続モードに戻る時に、ＵＥは、ＵＥが使用可能なＲＬＦレポートを有することをネットワークに通知する。ネットワークは、ＲＬＦレポートを要請するメッセージをＵＥに送信する。ＵＥにより送信されるＲＬＦレポートは、最後にＵＥをサービスしたセルのＥ−ＵＴＲＡＮセルグローバル識別子（ＥＣＧＩ）、再確立が試みられたセルのＥＣＧＩ、最後にハンドオーバプロセスが開始されるセルのＥＣＧＩ、最後にハンドオーバが開始されるから接続フェイリュアまでの時間、接続フェイリュアの理由がＲＬＦであるか又はハンドオーバフェイリュアであるか、無線評価に関する情報を含む。ＵＥのＲＬＦレポートを取得する基地局がＵＥから取得されたＲＬＦレポートを最後にＵＥをサービスしたセルの基地局に送信する。最後に、ＵＥをサービスしたセルの基地局は、その理由があまりに早いハンドオーバであるか、あまりに遅いハンドオーバであるか、エラーセルへのハンドオーバであるか、カバレッジホール（ｃｏｖｅｒａｇｅ  ｈｏｌｅ）のためであるかを判定する。その理由があまり早いハンドオーバやエラーセルへのハンドオーバである場合には、基地局は、あまり早いハンドオーバやエラーセルへのハンドオーバに関する情報を、あまりに早いハンドオーバを発生させる基地局又はＵＥがエラーセルにハンドオーバされる基地局に送信する。
【発明の概要】
【発明が解決しようとする課題】
【０００６】
異なるＲＡＴ間の移動ロバストネス最適化（Ｍｏｂｉｌｉｔｙ  Ｒｏｂｕｓｔｎｅｓｓ  Ｏｐｔｉｍｉｚａｔｉｏｎ：ＭＲＯ）、例えば、３Ｇ又は２ＧからＬＴＥへのあまり早いハンドオーバに対して、ＲＮＣがＵＥからｅＮＢ１へのハンドオーバに成功する時に、ｅＮＢ１でそのＵＥに対するＲＬＦが発生する。次にＬＴＥにアクセスする時に、ＵＥは、アクセスされたｅＮＢ（例えば、ｅＮＢ２）にＲＬＦレポートを送信する。ｅＮＢ２は、ＲＬＦ表示メッセージをｅＮＢ１に送信する。ｅＮＢ１は、フェイリュアの理由をチェックする。その理由があまり早いＲＡＴ間のハンドオーバである場合に、ｅＮＢ１は、ハンドオーバレポートをＲＮＣに送信する。ｅＮＢ１は、ハンドオーバレポートをコアネットワークを通してソースＲＮＣに送信しなければならない。ｅＮＢ１は、ＲＬＦ表示メッセージを通してソースセルのセル識別子がわかる。しかしながら、ｅＮＢ１がソースセルの他の位置情報を認識できないので、ｅＮＢ１は、そのハンドオーバレポートをソースＲＮＣにルーティングすることができない。
【０００７】
本発明は、上述した課題もしくは不都合な点を解決し、少なくとも以下に示す優位性を提供する。すなわち、本発明の目的は、ＵＥに対する衝撃を避け、オペレータ構成を減少させ、ソースアクセスシステムにハンドオーバレポートを正確に送信し、モバイル通信システムの性能を向上させるためにソースアクセスシステムに対するフェイリュアイベントの表示をサポートするための方法を提供することにある。
【課題を解決するための手段】
【０００８】
上記のような目的を達成するために、ソースアクセスシステムがターゲットアクセスシステムにソースセルに関する情報を通知するステップと、ターゲットアクセスシステムがメッセージをソースセルが属している基地局に送信する必要がある場合に、ターゲットアクセスシステムがメッセージをソースアクセスシステムに送信するステップとを含む技術的な解決方法が本発明の実施形態に従って詳細に提供されている。ソースセルの受信情報は、メッセージをソースアクセスシステムにルーティングするために使用される。
【０００９】
ソースアクセスシステムは、ソースセルの情報をハンドオーバ準備を通してターゲットアクセスシステムに通知することに留意しなければならない。
ソースセルの情報は、次のような情報の中の１つ以上を含む：
ソースセルのセル識別子；
ソースセルが属するＬＡＩ；
ソースセルが属するＲＡＣ；
ソースセルが属するＲＮＣの識別子；
ソースセルが属するＲＮＣの拡張された識別子；
ソースセルが属するＴＡＩ。
【００１０】
ターゲットアクセスシステムがメッセージをソースセルが属する基地局に送信する時に、メッセージは、ソースセルのセル識別子、及び／又はソースセルが属するＬＡＩ及びＲＡＣ、及び／又はソースセルが属するＲＮＣの識別子、及び／又はソースセルが属するＲＮＣの拡張された識別子、及び／又はソースセルが属するＴＡＩを含むことに留意しなければならない。
【００１１】
ターゲットコアネットワークのノードは、ソースセルが属するＬＡＩ及びＲＡＣ又はＴＡＩに従ってソースコアネットワークのノードを探すことに留意しなければならない。
【００１２】
ソースアクセスシステムが３Ｇである場合に、ソースＳＧＳＮがソースセルが属するＲＮＣの識別子又はＲＮＣの拡張された識別子に従ってソース基地局（すなわち、ソースＲＮＣ）を探すことに留意しなければならない。ソースアクセスシステムがＬＴＥである場合に、ソースＭＭＥは、ソースセルのセル識別子に従ってソースｅＮＢを探す。
【００１３】
要約すると、本発明により提供されるソースアクセスシステムに対するフェイリュアイベントの表示をサポートするための方法において、ソースアクセスは、ソースセルの情報をターゲットアクセスシステムに通知する。メッセージをソースアクセスシステムに送信しなければならない場合に、ターゲットアクセスシステムは、ソースアクセスシステムから受信されたソースセルの情報の使用を通して必要とされるメッセージをコアネットワークを通して基地局又はソースアクセスシステムの基地局制御器にルーティングする。ターゲットアクセスシステムは、ＵＥに対する衝撃を避け、オペレータ構成を減少させるために、異なるＲＡＴ間のＭＲＯに対する問題をソースアクセスシステムに通知する。したがって、異なるＲＡＴ間のＭＲＯの問題が解消され、モバイル通信システムの性能が向上する。
【図面の簡単な説明】
【００１４】
【図１】既存のＳＡＥシステムの構造を示す概略図である。
【図２】既存のＳＡＥシステムを自己最適化する基本原理を示す概略図である。
【図３】本発明の一実施形態に従ってソースアクセスシステムに対するフェイリュアイベントの表示をサポートするための方法を示すフローチャートである。
【図４】本発明の第１の実施形態に従ってソースアクセスシステムに対するフェイリュアイベントの表示をサポートするための方法を示す概略図である。
【図５】本発明の第１の実施形態に従ってソースアクセスシステムに対するフェイリュアイベントを表示するための方法を示す概略図である。
【図６】本発明の第２の実施形態に従ってソースアクセスシステムに対するフェイリュアイベントの表示をサポートするための方法を示す概略図である。
【図７】本発明の第２の実施形態に従ってソースアクセスシステムに対するフェイリュアイベントを表示するための方法を示す概略図である。
【発明を実施するための形態】
【００１５】
従来技術での既存の問題を解決するために、本発明は、ソースアクセスシステムがソースセルに関する情報をターゲットアクセスシステムに通知するステップと、ターゲットアクセスシステムがメッセージをソースセルが属する基地局に送信しなければならない場合に、ターゲットアクセスシステムがメッセージをソースアクセスシステムに送信するステップとを含むソースアクセスシステムに対するフェイリュアイベントの表示をサポートするための方法を提供する。
【００１６】
本発明により提供される方法を適用することにより、異なるＲＡＴ間のＭＲＯの問題がソースアクセスシステに通知され、端末に対する影響が回避され、オペレータ構成が減少される。したがって、異なるＲＡＴ間のＭＲＯの問題が解決され、システム性能が向上する。
【００１７】
本発明の技術的な方法及び長所をより明確にするために、添付の図面を参照して本発明を詳細に記述する。
【００１８】
図３は、ソースアクセスシステムに対するフェイリュアイベントの表示をサポートするための方法を示すフローチャートである。図３に示すように、そのプロセスは、次のような事項を含む。
【００１９】
ステップ３０１において、ソースアクセスシステムは、ソースセルの情報をターゲットアクセスシステムに通知する。ソースセルの情報は、次のような１つ以上の情報を含む：
ソースセルのセル識別子；
ソースセルが属するＬＡＩ；
ソースセルが属するＲＡＣ；
ソースセルが属するＲＮＣの識別子；
ソースセルが属するＲＮＣの拡張された識別子；
ソースセルが属するＴＡＩ。
【００２０】
ソースアクセスシステムは、ソースセルが属する基地局の情報を再配置要請メッセージ、ハンドオーバ要請メッセージ、再配置要請転送メッセージ、及び再配置要請メッセージ又はハンドオーバ要請メッセージを通してターゲットセルに通知する。これとは異なり、ソースアクセスシステムは、情報をソースからターゲットへのメッセージ内の透過（ｔｒａｎｓｐａｒｅｎｔ）コンテナを通してターゲットセルが属する基地局に送信する。
【００２１】
ステップ３０２において、メッセージをソースセルが属する基地局に送信しなければならない場合に、ターゲットアクセスシステムは、そのメッセージをソースアクセスシステムに送信する。ターゲットアクセスシステムは、受信されたソースセルの情報に従ってソース基地局情報を認識する。ソースセルの情報は、ターゲット基地局からソース基地局までメッセージをルーティングするのに使用される。
【００２２】
具体的に、ターゲットアクセスシステムが、ソースセルがターゲットセルに対して不適切なＲＡＴ間のハンドオーバをトリガーリングすることを検出する場合に、ターゲットアクセスシステムは、メッセージをソースセルが属する基地局に送信し、ソースセルが属する基地局に不適切なＲＡＴ間のハンドオーバ、例えば、早いＲＡＴ間のハンドオーバ又は間違ったＲＡＴへのハンドオーバを通知する。メッセージは、ソースセルのセル識別子、及び／又はソースセルが属するＬＡＩ、及び／又はソースセルが属するＲＡＣ、及び／又はソースセルが属するＲＮＣの識別子、及び／又はソースセルが属するＲＮＣの拡張された識別子、及び／又はソースセルが属するＴＡＩを含む。
【００２３】
ソースセルが属するＬＡＩ及びＲＡＣ又はＴＡＩに従って、ターゲットコアネットワークのノード（例えば、ＭＭＥ又はＳＧＳＮ又はＭＳＣ）は、ソースコアネットワークのノード（例えば、ＭＭＥ又はＳＧＳＮ又はＭＳＣ）を探す。ソースアクセスシステムが３Ｇである場合に、ターゲットコアネットワークのノードは、ＬＡＩ及び／又はＲＡＣに従ってソースＳＧＳＮを探す。ソースアクセスシステムがＬＴＥである場合に、ターゲットコアネットワークのノードは、ＴＡＩに従ってソースＭＭＥを探す。ソースアクセスシステムが３Ｇである場合に、ソースＳＧＳＮがソースセルが属するＲＮＣの識別子又はＲＮＣの拡張された識別子に従ってソース基地局（すなわち、ソースＲＮＣ）を探す。ソースアクセスシステムがＬＴＥである場合に、ソースＭＭＥは、ソースセルのセル識別子に従ってソースｅＮＢを探す。
【００２４】
いままで、本発明の目的によりソースアクセスシステムに対するフェイリュアイベントの表示をサポートするための方法の全プロセスが提供された。
【００２５】
図４は、本発明の第１の実施形態に従ってソースアクセスシステムに対するフェイリュアイベントの表示をサポートするための方法を示す概略図である。ここで、本発明とは関連ないステップに関する詳細な説明は省略する。図４に示すように、そのプロセスは、次のような事項を含む。
【００２６】
ステップ４０１において、ＲＮＣは、ハンドオーバを判定する。ＲＮＣは、再配置要請メッセージをＳＧＳＮに送信する。そのメッセージは、ソースセルの情報を含む。ソースセルの情報は、次のような情報の中の１つ以上の種類を含む：
ソースセルのセル識別子；
ソースセルが属するＬＡＩ；
ソースセルが属するＲＡＣ；
ソースセルが属するＲＮＣの識別子；
ソースセルが属するＲＮＣの拡張された識別子；
【００２７】
ステップ４０２において、ＳＧＳＮは、再配置要請送信メッセージをＭＭＥに送信する。そのメッセージは、ソースセルの情報を含む。ソースセルの情報は、ステップ４０１と同一であるので、ここでは、重複説明を省略する。
【００２８】
ステップ４０３において、ＭＭＥは、ハンドオーバ要請メッセージをｅＮＢに送信する。そのメッセージは、ソースセルの情報を含む。ソースセルの情報は、ステップ４０１と同一であるので、ここでは、重複説明を省略する。ｅＮＢは、ソースセルの情報を記憶する。
【００２９】
ステップ４０４において、ｅＮＢは、ハンドオーバ要請確認メッセージをＭＭＥに送信する。
【００３０】
ステップ４０５において、ＭＭＥは、再配置応答送信メッセージをＳＧＳＮに送信する。
【００３１】
ステップ４０６において、ＳＧＳＮは、再配置命令メッセージをＲＮＣに送信する。
【００３２】
ステップ４０７において、ＲＮＣは、ＵＴＲＡＮからＵＥにハンドオーバ命令メッセージを送信する。
【００３３】
ステップ４０８において、ＵＥは、Ｅ−ＵＴＲＡＮからＲＮＣにハンドオーバの完了を送信する。
【００３４】
いままで、本発明の目的に対する第１の実施形態に従ってソースアクセスシステムに対するフェイリュアイベントの表示をサポートするための方法の全プロセスが提供された。
【００３５】
この方法に基づいて、図５は、本発明の第１の実施形態に従ってソースアクセスシステムに対するフェイリュアイベントを表示するための方法を示す概略図である。例えば、この実施形態は、第１の実施形態において、ＲＮＣがＵＥのｅＮＢ１へのハンドオーバに成功する場合に使用される。ｅＮＢ１のセル内にあるＵＥに対してＲＬＦが発生する。ＵＥがＬＴＥセルをさらにアクセスする場合に、例えば、セル２（ｅＮＢ２により制御されるセル）にアクセスするか、又はセル２にハンドオーバされる場合に、ＵＥは、記憶されたＲＬＦ報告をセル２が属する基地局に送信する。ここで、セル１でのＲＬＦの後に、ＵＥは、３Ｇセル、例えば、セル３をまずアクセスでき、その後に、ＬＴＥのセル２に戻るか又はＬＴＥのセル２にハンドオーバされる。図５に示すように、そのプロセスは、次のような事項を含む。
【００３６】
ステップ５０１において、ＵＥに対してｅＮＢ１のセル内でＲＬＦが発生する。
【００３７】
ステップ５０２において、ＵＥがＬＴＥセルに戻る場合、例えば、ＵＥがｅＮＢ２により制御されるセル２でＲＲＣ接続を確立するか、ＲＲＣ接続再確立を実行するか、又はＬＴＥのセル２にハンドオーバされる場合に、ＵＥは、ＵＥがＲＬＦレポートに関する情報を有することをＲＲＣ接続設定要請、ＲＲＣ接続設定完了又はＲＲＣ接続再確立要請、ＲＲＣ接続再確立完了又はハンドオーバ完了又はＲＲＣ接続再構成完了又はＵＥにより送信される他のＲＲＣメッセージを通して基地局に通知する。
【００３８】
ステップ５０３において、ｅＮＢ２は、ＲＬＦレポートの情報をＵＥに報告するように要請する。ＵＥは、記憶されたＲＬＦレポートをｅＮＢ２に送信する。ＵＥのＲＬＦレポートは、フェイリュアが発生する前に最後にＵＥをサービスしたセルのセル識別子を含む。ＵＥのＲＬＦレポートのコンテンツは、本発明の強調事項でないので、ここでは説明しない。
【００３９】
ステップ５０４において、ｅＮＢ２は、フェイリュアが発生する前に、ＲＬＦ表示メッセージを最後にＵＥをサービスした基地局に送信する。ＵＥのＲＬＦレポートは、フェイリュアが発生する前に最後にＵＥをサービスしたセルのセル識別子を含む。ｅＮＢ２は、そのセル識別子に従ってフェイリュアが発生するセルの基地局にＲＬＦ表示を送信する。ＲＬＦ表示メッセージは、ＵＥから受信されたＲＬＦレポートに関する情報を含む。
【００４０】
ステップ５０５において、ｅＮＢ１は、フェイリュア理由を判定する。詳細な判定方法は、本発明の重点事項でないので、ここでは、その内容を説明しない。
【００４１】
ステップ５０６において、ｅＮＢ１は、そのフェイリュア理由をハンドオーバ、例えば、あまり早いＲＡＴ間のハンドオーバ、間違ったＲＡＴへのハンドオーバを発生させた基地局に送信する。ｅＮＢ１は、ハンドオーバレポートをＭＭＥに送信する。ＥＮＢ１は、ハンドオーバレポートをｅＮＢ直接転送メッセージ又は他のＳ１メッセージを通してＭＭＥに送信する。そのメッセージは、対応するハンドオーバを発生させたセルが属するＬＡＩ及びハンドオーバを発生させたセルが属するＲＮＣの識別子を含み、対応するハンドオーバを発生させたセルが属するＲＡＣ及びハンドオーバを発生させたセルが属するＲＮＣの拡張された識別子をさらに含む。そのメッセージは、ハンドオーバを発生させたソースセルのセル識別子、及び／又はフェイリュアの前に最後のハンドオーバのターゲットセルのセル識別子、及び／又はそのフェイリュア理由、例えば、あまり早いＲＡＴ間のハンドオーバ又は間違ったＲＡＴ又はセルへのハンドオーバをさらに含む。ハンドオーバプロセスの間に、ソースセルのＬＡＩ、ＲＮＣの識別子、及び／又はＲＡＣ、及び／又はＲＮＣの拡張された識別子などのような情報がすでに記憶されている。
【００４２】
ステップ５０７において、ＭＭＥは、ハンドオーバレポートをＳＧＳＮに送信する。ＭＭＥは、受信されたメッセージ内のＬＡＩ及び／又はＲＡＣに従ってＳＧＳＮを探す。
【００４３】
ステップ５０８において、ＳＧＳＮは、受信されたハンドオーバレポートをＲＮＣに送信する。ＳＧＳＮは、ＲＮＣの識別子又はＲＮＣの拡張された識別子に従ってＲＮＣを探す。ＲＮＣは、フェイリュアが発生する前に、最後のハンドオーバのソースセル及びターゲットセルのセル識別子及びフェイリュア理由に従ってＭＲＯの問題をカウントする。
【００４４】
いままで、本発明の目的に対する実施形態に従ってソースアクセスシステムに対するフェイリュアイベントを表示するための方法の全プロセスが提供された。
【００４５】
図６は、本発明の第２の実施形態に従ってソースアクセスシステムに対するフェイリュアイベントの表示をサポートするための方法を示す概略図である。ここで、本発明とは関連ないステップについての詳細な説明は省略する。図６に示すように、そのプロセスは、次のような事項を含む。
【００４６】
ステップ６０１において、ｅＮＢは、ハンドオーバを判定する。ｅＮＢは、ハンドオーバ要請メッセージをＭＭＥに送信する。そのメッセージは、ソースセルの情報を含む。ソースセルの情報は、次のような１つ以上の種類を含む：
ソースセルの識別子；
ソースセルが属するＴＡＩ。
【００４７】
ステップ６０２において、ＭＭＥは、再配置要請送信メッセージをＳＧＳＮに送信する。そのメッセージは、ソースセルの情報を含む。ソースセルの情報は、ステップ６０１と同一であるので、ここでは、重複説明を省略する。
【００４８】
ステップ６０３において、ＳＧＳＮは、再配置要請メッセージをＲＮＣに送信する。そのメッセージは、ソースセルの情報を含む。ソースセルの情報は、ステップ６０１と同一であるので、ここでは、重複説明を省略する。
【００４９】
ステップ６０４において、ＲＮＣは、再配置要請確認メッセージをＳＧＳＮに送信する。
【００５０】
ステップ６０５において、ＳＧＳＮは、再配置応答送信メッセージをＭＭＥに送信する。
【００５１】
ステップ６０６において、ＭＭＥは、ハンドオーバ命令メッセージをｅＮＢに送信する。
【００５２】
ステップ６０７において、ｅＮＢは、ハンドオーバ命令メッセージをＵＥに送信する。
【００５３】
ステップ６０８において、ＵＥは、ＵＴＲＡＮからＲＮＣまでハンドオーバ完了を送信する。
【００５４】
いままで、本発明の目的に対する第２の実施形態に従って、ソースアクセスシステムに対するフェイリュアイベントの表示をサポートするための方法の全プロセスが提供された。
【００５５】
このような方法に基づいて、図７は、本発明の第２の実施形態に従ってソースアクセスシステムに対するフェイリュアイベントを表示するための方法を示す概略図である。例えば、この実施形態は、図６の実施形態において、ｅＮＢがＵＥをＲＮＣ１へのハンドオーバに成功した場合に使用される。ＲＮＣ１のセル内にあるＵＥに対してＲＬＦが発生する。ＵＥが３Ｇセルにさらにアクセスする場合に、例えば、セル２（ＲＮＣ２により制御されるセル）にアクセスするか又はセル２にハンドオーバされる場合に、ＵＥは、記憶されたＲＬＦレポートの情報をセル２のＲＮＣに送信する。ここで、ＵＥがセル１にアクセスする場合にフェイリュアが発生した後、ＵＥは、まず、セル３のようなＬＴＥセルにアクセスした後に、３Ｇのセル２に戻るか又は３Ｇのセル２にハンドオーバされる。図７に示すように、このプロセスは、次のような事項を含む。
【００５６】
ステップ７０１において、ＵＥに対してＲＮＣ１のセル内でＲＬＦが発生する。
【００５７】
ステップ７０２において、ＵＥが３Ｇのセルに戻る場合に、例えば、ＵＥがＲＮＣ２により制御されるセル２でＲＲＣ接続を設定するか又は３Ｇのセル２にハンドオーバされる場合に、ＵＥは、ＵＥがＲＬＦレポートに関する情報を有することをＲＲＣ接続設定要請又はＲＲＣ接続設定完了又はＲＲＣ接続再確立要請又はＲＲＣ接続再確立完了又はハンドオーバ完了又はＲＲＣ接続再構成完了又はＵＥにより送信される他のＲＲＣメッセージを通してＲＮＣ２に通知する。
【００５８】
ステップ７０３において、ＲＮＣ２は、ＲＬＦレポートの情報をＵＥに報告するように要請する。ＵＥは、記憶されたＲＬＦレポートをＲＮＣ２に送信する。ＵＥのＲＬＦレポートは、フェイリュアが発生する前に、最後にＵＥをサービスしたセルのセル識別子を含む。ＵＥのＲＬＦレポートのコンテンツは、本発明の強調事項でないので、ここでは説明しない。
【００５９】
ステップ７０４において、ＲＮＣ２は、フェイリュアが発生する前に、ＲＬＦ表示メッセージを最後にＵＥをサービスしたＲＮＣ１に送信する。このメッセージは、Ｉｕｒインターフェース又はＩｕインターフェースを通してコアネットワークを経てＲＮＣ１に送信される。ＵＥのＲＬＦレポートは、フェイリュアが発生する前に、最後にＵＥをサービスしたセルのセル識別子を含む。ＲＮＣ２は、そのセル識別子に従ってＲＬＦが発生したセルが属するＲＮＣにＲＬＦ表示メッセージを送信する。ＲＬＦ表示メッセージは、ＵＥから受信されたＵＥのＲＬＦレポートの情報を含む。
【００６０】
ステップ７０５において、ＲＮＣ１は、フェイリュア理由を判定する。詳細な判定方法は、本発明の重点事項でないので、ここでは説明しない。
【００６１】
ステップ７０６において、ＲＮＣ１は、そのフェイリュア理由をハンドオーバ、例えば、あまり早いＲＡＴ間のハンドオーバ、間違ったＲＡＴへのハンドオーバを発生させた基地局に送信する。ＲＮＣ１は、ハンドオーバレポートをＳＧＳＮに送信する。ＲＮＣ１は、そのハンドオーバレポートをＲＡＮ情報管理（ＲＩＭ）方法を通して又は他のＩｕメッセージを通してＳＧＳＮに送信する。そのメッセージは、ハンドオーバを発生させたセルが属するＴＡＩを含む。また、そのメッセージは、ハンドオーバを発生させたソースセルのセル識別子、及び／又は最後のハンドオーバのターゲットセルのセル識別子、及び／又はそのフェイリュア理由、例えば、あまり早いＲＡＴ間のハンドオーバ又は間違ったＲＡＴ又はセルへのハンドオーバを含む。ソースセルのＴＡＩの識別子及びソースセルのセル識別子は、ハンドオーバプロセスの間にすでに記憶されている。
【００６２】
ステップ７０７において、ＳＧＳＮは、ハンドオーバレポートをＭＭＥに送信する。ＳＧＳＮは、受信されたメッセージ内のＴＡＩに従ってＭＭＥを探す。
【００６３】
ステップ７０８において、ＭＭＥは、受信されたハンドオーバレポートをｅＮＢに送信する。ＭＭＥは、受信されたメッセージ内のソースセルのセル識別子に従ってｅＮＢを探す。ｅＮＢは、受信されたハンドオーバレポートでフェイリュアが発生する前に最後のハンドオーバのソースセル及びターゲットセルのセル識別子及びフェイリュア理由に従ってＭＲＯの問題をカウントする。
【００６４】
いままで、本発明の目的に対する第２の実施形態に従って、ソースアクセスシステムに対するフェイリュアイベントを表示するための方法の全プロセスが提供された。
【００６５】
要約すると、本発明によって提供されるソースアクセスシステムに対するフェイリュアイベントの表示をサポートするための方法において、ソースアクセスは、ソースセルの情報をハンドオーバを通してターゲット基地局に送信する。ハンドオーバ問題がターゲット基地局のセルにより検出される場合に、ターゲット基地局は、ソースセルの情報に従って、ハンドオーバフェイリュアイベントをソースセルの基地局に送信する。したがって、検出された理由に従ってモバイル通信システムに対する正確な自己最適化が実行されることにより、モバイル通信システムの性能を向上させることができる。
【００６６】
ここに説明され例示されたものは、その変形例とともに本開示の一例である。ここで使用された用語、内容、及び図面は、例示を通して説明される。本開示の思想及び範囲内で様々な変形が可能であり、これは、特許請求の範囲の記載及びこれと均等なものの範囲内で定められるべきである。
【符号の説明】
【００６７】
１０１  Ｅ−ＵＴＲＡＮ
１０２  ｅＮＢ
１０３  ＨｅＮＢ
１０４  ＨｅＮＢ  ＧＷ
【図１】
0006324965.tif 000002
【図２】
0006324965.tif 000003
【図３】
0006324965.tif 000004
【図４】
0006324965.tif 000005
【図５】
0006324965.tif 000006
【図６】
0006324965.tif 000007
【図７】
0006324965.tif 000008